(57)【要約】本発明は、端末（１００１）に対してマルチメディア・ブロードキャスト・マルチキャスト・サービス（ＭＢＭＳ）の継続性をサポートする、移動通信ネットワークの基地局（９０１）における方法に関し、その方法を提供する。この方法は、端末（１００１）がキャリアアグリゲーションをサポートする帯域の組み合わせを基地局（９０１）に通知する情報要素であって、これに従って端末（１００１）に対してサービングセルとして設定可能な任意のキャリアでのＭＢＭＳの受信を端末がサポートすることを示す情報要素を、基地局（９０１）が端末（１００１）から受信する工程（Ｓ７０1）と、基地局（９０１）が、受信した情報要素から端末（１００１）のＭＢＭＳ受信能力を導出する工程（５７０３）と、端末（１００１）が少なくとも１つのＭＢＭＳの受信が可能になるように、端末（１００１）のサービングセルとして基地局（９０１）が設定可能であるキャリアを、基地局（９０１）が決定する工程（Ｓ７０４）とを備える。
2014528192.tif 000002
【特許請求の範囲】
【請求項１】
端末（１００１）に対するマルチメディア・ブロードキャスト・マルチキャスト・サービス（ＭＢＭＳ）の継続性をサポートする、移動通信ネットワークの基地局（９０１）における方法であって、
前記基地局（９０１）が、前記端末（１００１）がキャリアアグリゲーションをサポートする帯域の組み合わせについて前記基地局（９０１）に通知するための情報要素を、前記端末から（１００１）受信する工程（Ｓ７０１）と、
前記基地局（９０１）が、前記受信した情報要素から前記端末（１００１）のＭＢＭＳ受信能力を導出する工程（Ｓ７０３）と、
前記端末（１００１）が少なくとも１つのＭＢＭＳを受信可能となるように、前記基地局（９０１）が前記端末（１００１）のサービングセルとして設定可能なキャリアを、前記基地局（９０１）が決定する工程（Ｓ７０４）と、
を含み、
前記端末（１００１）は、前記情報要素に従って前記端末（１００１）のサービングセルとして設定可能なキャリアでのＭＢＭＳの受信をサポートすることを特徴とする方法。
【請求項２】
前記基地局（９０１）が、前記端末（１００１）から、前記端末（１００１）が関心のある少なくとも１つのＭＢＭＳと、前記端末（１００１）が関心のあるＭＢＭＳの少なくとも１つのキャリアの両方、或いは、いずれかの表示を取得する工程（Ｓ７０５）をさらに含むことを特徴とする請求項１に記載の方法。
【請求項３】
前記基地局（９０１）は、前記端末が（１００１）関心のある前記少なくとも１つのＭＢＭＳを前記端末（１００１）が受信できる様に、前記決定したキャリア及び前記受信した表示に基づき前記端末（１００１）のサービングセルとして少なくとも１つのキャリアを設定する（Ｓ７０６）ことを特徴とする請求項２に記載の方法。
【請求項４】
前記基地局（９０１）は、前記端末（１００１）が非サービングセルから前記少なくとも１つのＭＢＭＳを受信できる様に、前記端末（１００１）のサービングセルとして前記少なくとも１つのキャリアを設定することを特徴とする請求項１から３のいずれか１項に記載の方法。
【請求項５】
前記基地局（９０１）は、前記端末（１００１）がサービングセルから前記少なくとも１つのＭＢＭＳを受信できる様に、前記端末（１００１）のサービングセルとして前記少なくとも１つのキャリアを設定することを特徴とする請求項１から３のいずれか１項に記載の方法。
【請求項６】
前記基地局（９０１）は、発展型ノードＢであることを特徴とする請求項１から５のいずれか１項に記載の方法。
【請求項７】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項１から６のいずれか１項に記載の方法。
【請求項８】
前記基地局（９０１）が、前記端末（１００１）が前記情報要素に従いサービングセルとして設定可能なキャリアでのＭＢＭＳ受信をサポートすることの明示的な表示を前記端末から取得する工程（Ｓ７０２）をさらに含むことを特徴とする請求項１から７のいずれか１項に記載の方法。
【請求項９】
端末に対するマルチメディア・ブロードキャスト・マルチキャスト・サービス（ＭＢＭＳ）の継続性をサポートする、前記端末（１００１）における方法であって、
前記端末がキャリアアグリゲーションをサポートする帯域の組み合わせについて前記基地局（９０１）に通知する情報要素を、前記基地局（９０１）に送信する工程（Ｓ８０１）を含み、
前記端末（１００１）は、前記情報要素に従って前記端末（１００１）のサービングセルとして設定可能なキャリアでのＭＢＭＳの受信をサポートすることを特徴とする方法。
【請求項１０】
前記端末（１００１）が、前記端末が関心のある少なくとも１つのＭＢＭＳと、前記端末が関心のあるＭＢＭＳの少なくとも１つのキャリアの両方、或いは、いずれかを、前記基地局（９０１）に表示する工程（Ｓ８０２）をさらに含むことを特徴とする請求項８に記載の方法。
【請求項１１】
前記端末（１００１）は、非サービングセルから前記少なくとも１つのＭＢＭＳを受信することを特徴とする請求項９又は１０に記載の方法。
【請求項１２】
前記端末（１００１）は、サービングセルから前記少なくとも１つのＭＢＭＳを受信することを特徴とする請求項９又は１０に記載の方法。
【請求項１３】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項９から１２のいずれか１項に記載の方法。
【請求項１４】
前記情報要素に従いサービングセルとして設定可能なキャリアでのＭＢＭＳ受信を前記端末（１００１）がサポートすることを、前記端末（１００１）が、前記基地局（９０１）に明示的に表示する工程（Ｓ８０３）をさらに含むことを特徴とする請求項９から１３のいずれか１項に記載の方法。
【請求項１５】
移動通信ネットワークの基地局（９０１）であって、
請求項１から８のいずれか１項に記載の方法を実行する様に構成されていることを特徴とする基地局。
【請求項１６】
移動通信ネットワークの端末（１００１）であって、
請求項９から１４のいずれか１項に記載の方法を実行する様に構成されていることを特徴とする端末。
【請求項１７】
端末（１００１）に対するマルチメディア・ブロードキャスト・マルチキャスト・サービス（ＭＢＭＳ）の継続性をサポートする、移動通信ネットワークの基地局（９０１）であって、
前記端末（１００１）がキャリアアグリゲーションをサポートする帯域の組み合わせについて前記基地局（９０１）に通知する情報要素を、前記端末（１００１）から受信する受信機（９０３）と、
前記受信した情報要素から前記端末（１００１）のＭＢＭＳ受信能力を導出し、前記端末が少なくとも１つのＭＢＭＳを受信可能となるように、前記端末（１００１）のサービングセルとして前記基地局（９０１）が設定可能なキャリアを決定するコントローラ（９０６）と、
を備えており、
前記端末（１００１）は、前記情報要素に従って前記端末（１００１）のサービングセルとして設定可能なキャリアでのＭＢＭＳの受信をサポートすることを特徴とする基地局。
【請求項１８】
前記基地局（９０１）は、前記端末（１００１）から、前記端末（１００１）が関心のある少なくとも１つのＭＢＭＳと、前記端末（１００１）が関心のあるＭＢＭＳの少なくとも１つのキャリアの両方、或いは、いずれかの表示を取得する様に構成されていることを特徴とする請求項１７に記載の基地局。
【請求項１９】
前記コントローラ（９０６）は、前記端末が関心のある前記少なくとも１つのＭＢＭＳを前記端末（１００１）が受信できる様に、前記決定したキャリア及び前記受信した表示に基づき前記端末のサービングセルとして少なくとも１つのキャリアを設定する様に構成されていることを特徴とする請求項１８に記載の基地局。
【請求項２０】
前記コントローラ（９０６）は、前記端末（１００１）が非サービングセルから前記少なくとも１つのＭＢＭＳを受信できる様に、前記端末（１００１）のサービングセルとして前記少なくとも１つのキャリアを設定する様に構成されていることを特徴とする請求項１７から１９のいずれか１項に記載の基地局。
【請求項２１】
前記コントローラ（９０６）は、前記端末（１００１）がサービングセルから前記少なくとも１つのＭＢＭＳを受信できる様に、前記端末（１００１）のサービングセルとして前記少なくとも１つのキャリアを設定する様に構成されていることを特徴とする請求項１７から１９のいずれか１項に記載の基地局。
【請求項２２】
前記基地局（９０１）は、発展型ノードＢであることを特徴とする請求項１７から２１のいずれか１項に記載の基地局。
【請求項２３】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項１７から２１のいずれか１項に記載の基地局。
【請求項２４】
前記基地局（９０１）は、前記端末（１００１）が前記情報要素に従いサービングセルとして設定可能なキャリアでのＭＢＭＳ受信をサポートすることの明示的な表示を前記端末（１００１）から取得する様に構成されていることを特徴とする請求項１７から２１のいずれか１項に記載の基地局。
【請求項２５】
移動通信ネットワークの端末（１００１）に対するマルチメディア・ブロードキャスト・マルチキャスト・サービス（ＭＢＭＳ）の継続性をサポートする前記端末（１００１）であって、
前記端末がキャリアアグリゲーションをサポートする帯域の組み合わせについて基地局（９０１）に通知する情報要素を、前記基地局（９０１）に送信する送信機（１００）を備えており、
前記端末（１００１）は、前記情報要素に従って前記端末（１００１）のサービングセルとして設定可能なキャリアでのＭＢＭＳ受信をサポートすることを特徴とする端末。
【請求項２６】
前記端末（１００１）は、前記端末（１００１）が関心のある少なくとも１つのＭＢＭＳと、前記端末（１００１）が関心のあるＭＢＭＳの少なくとも１つのキャリアの両方、或いは、いずれかを、前記基地局（９０１）に表示する様に構成されていることを特徴とする請求項２５に記載の端末。
【請求項２７】
前記端末（１００１）は、非サービングセルから前記少なくとも１つのＭＢＭＳを受信する受信機（１００４）を備えていることを特徴とする請求項２５又は２６に記載の端末。
【請求項２８】
前記端末（１００１）は、サービングセルから前記少なくとも１つのＭＢＭＳを受信する受信機（１００４）を備えていることを特徴とする請求項２５又は２６に記載の端末。
【請求項２９】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項２５から２８のいずれか１項に記載の端末。
【請求項３０】
前記端末（１００１）は、前記情報要素に従いサービングセルとして設定可能なキャリアでのＭＢＭＳ受信を前記端末（１００１）がサポートすることを、前記基地局（９０１）に明示的に表示する様に構成されていることを特徴とする請求項２５から２９のいずれか１項に記載の端末。
【発明の詳細な説明】
【技術分野】
【０００１】
本発明は、移動通信ネットワークにおける方法、移動通信ネットワークの基地局における方法、および端末における方法に関する。さらに、本発明は、ノードを実装するための対応するデバイスに関する。特に、本発明は、ＭＢＭＳサービスの継続性をサポートすることに関する。
【背景技術】
【０００２】
マルチメディア・ブロードキャスト・マルチキャスト・サービス（ＭＢＭＳ）は、現在および今後のセルラネットワークのポイント・ツー・マルチポイント・インタフェースの仕様に依存している。ＭＢＭＳの仕様は、移動通信ネットワークの１つ以上の無線アクセスネットワークのセル内とコアネットワーク内の両方において、ブロードキャスト・マルチキャスト・サービスを効率的に配信するように設計されている。複数のセルにまたがるブロードキャスト伝送に関し、ＭＢＭＳの仕様は、おおむね、単一周波数ネットワーク構成による伝送を規定している。ＭＢＭＳの用途には、移動ＴＶ、ラジオ放送、ファイル配信および緊急警報を含む。
【０００３】
Ｅ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）のマルチメディア・ブロードキャスト・マルチキャスト・サービス（ＭＢＭＳ）の特徴は、３ＧＰＰのＲｅｌ−９（第３世代パートナーシッププロジェクトのリリース９）に仕様が定められている。３ＧＰＰのリリース９の適用範囲は、基本的に、ただ１つのキャリアだけを考慮したＭＢＭＳの配備を中心としている。ＭＢＭＳが提供される地域には、ＭＢＭＳ／ユニキャスト混合セルが配備される。ＭＢＭＳ／ユニキャスト混合セルとは、同じキャリアでＭＢＭＳ伝送とユニキャスト伝送とをサポートするセルのことである。
【０００４】
非特許文献１によると、Ｒｅｌ−１１（リリース１１）についての現在進行中の３ＧＰＰの作業に関して、マルチ周波数配備においてネットワークがＵＥへのＭＢＭＳサービスを継続しうるように解決手段を開発するとしている。接続モードにＵＥを構成するのに、ネットワークが適切な決定を行えるようにするため、３ＧＰＰによってＭＢＭＳ現状報告（ＭＢＭＳ関心表示とも呼ばれる）が導入された。
【０００５】
上述の非特許文献１によると、リリース９およびリリース１０におけるモビリティ手順は、ＭＢＭＳの受信について明らかにしていない。リリース１０は、１つを超えるキャリアが係わる配備に関する規定を設けている。ネットワークが、１つ以上の特定の周波数帯で動作する、および／または１つ以上のキャリアで動作するＵＥの能力を、考慮することができるようにするためである。ＵＥがＭＢＭＳを通して受けているか、または受けることに関心があるサービスについてネットワークに知らせることによって、例えばターゲットセルへのハンドオーバまたはＳセルの再設定などの適切な動作を、ネットワークに促すことができる。アイドルモードのＵＥは、所望のサービスを受けられるように、セルを選択／再選択できる方がよい。
【先行技術文献】
【非特許文献】
【０００６】
【非特許文献１】ＲＰ−１１０４５２（ＴＳＧ−ＲＡＮ５１会合、日本福岡、２０１１年９月）ワークアイテム解説「ＬＴＥに関するＭＢＭＳサービスの継続性の改善および位置情報
【非特許文献２】３ＧＰＰ  ＴＳ３６．３０６  Ｖ１０．２．０、「Ｅ−ＵＴＲＡ  ユーザ装置（ＵＥ）無線アクセス能力（リリース１０）」
【非特許文献３】３ＧＰＰ  ＴＳ３６．３３１  （Ｒｅｌ−１０）
【発明の概要】
【発明が解決しようとする課題】
【０００７】
１つの目的は、上記の欠点の少なくとも一部を取り除いて、通信のための改良したネットワーク、基地局および端末を提供することである。別の目的は、ＭＢＭＳサービスの継続性をサポートする改善した概念を提供することである。また別の目的は、端末／ＵＥに対するＭＢＭＳサービスの継続性をサポートしながら、１つ以上のサービングセルの設定において融通性を高められる方式を提供することである。
【課題を解決するための手段】
【０００８】
一実施形態によれば、端末に対するマルチメディア・ブロードキャスト・マルチキャスト・サービス（ＭＢＭＳ）の継続性をサポートする、移動通信ネットワークの基地局における方法を提供する。この方法は、端末がキャリアアグリゲーションをサポートする帯域の組み合わせについて基地局に通知する情報要素であって、この情報要素に従って端末のサービングセルとして設定可能な任意のキャリアでのＭＢＭＳの受信を端末がサポートする情報要素を、基地局が端末から受信する工程と、基地局が、受信した情報要素から端末のＭＢＭＳ受信能力を導出する工程と、端末が少なくとも１つのＭＢＭＳを受信可能となるように、基地局が端末のサービングセルとして設定可能なキャリアを、基地局が決定する工程とを備える。
【０００９】
一実施形態によれば、端末に対するマルチメディア・ブロードキャスト・マルチキャスト・サービス（ＭＢＭＳ）の継続性をサポートする、端末における方法を提供する。端末は、キャリアアグリゲーションをサポートする帯域の組み合わせについて基地局に通知する情報要素を、基地局に送信する。ここで、端末は、この情報要素に従って端末のサービングセルとして設定可能な任意のキャリアでのＭＢＭＳの受信をサポートする。
【００１０】
一実施形態によれば、移動通信ネットワーク用で、かつ端末に対するマルチメディア・ブロードキャスト・マルチキャスト・サービス（ＭＢＭＳ）の継続性をサポートする基地局を提供する。基地局は、端末がキャリアアグリゲーションをサポートする帯域の組み合わせについて基地局に通知する情報要素を、端末から受信する受信機を備える。ここで、端末は、情報要素に従って端末のサービングセルとして設定可能な任意のキャリアでの、ＭＢＭＳの受信をサポートする。基地局は、受信した情報要素から端末のＭＢＭＳ受信能力を導出して、端末が少なくとも１つのＭＢＭＳを受信可能となるように、端末のサービングセルとして基地局が設定可能なキャリアを決定するコントローラをさらに備える。
【００１１】
一実施形態によれば、無線通信ネットワーク用で、かつ端末に対するマルチメディア・ブロードキャスト・マルチキャスト・サービス（ＭＢＭＳ）の継続性をサポートする端末を提供する。端末は、端末がキャリアアグリゲーションをサポートする帯域の組み合わせについて基地局に通知する情報要素を、基地局に送信する送信機を備える。ここで、端末は、情報要素に従って端末のサービングセルとして設定可能な任意のキャリアでのＭＢＭＳの受信をサポートする。
【図面の簡単な説明】
【００１２】
【図１】一実施形態による概念を適用しうる、無線ネットワーク環境の概略図。
【図２】一実施形態による概念を適用しうる、端末の概略図。
【図３】一実施形態による概念を適用しうる、基地局の概略図。
【図４】サポートする帯域の組み合わせの例を示す図。
【図５】１つのスペクトルがキャリアおよび帯域に分割され、ＭＢＭＳが１つのキャリアで提供される一例を示す図。
【図６】一実施形態による無線ネットワークにおける方法のフローチャート。
【図７】一実施形態による基地局での方法のフローチャート。
【図８】一実施形態による端末での方法のフローチャート。
【図９】一実施形態による基地局の概略図。
【図１０】一実施形態による端末の概略図。
【発明を実施するための形態】
【００１３】
以下の記述においては、本発明を完全に理解してもらう手段として、限定ではなく説明のために、特定のアーキテクチャ、インタフェース、技術などの特定の詳細について記載する。しかし、これらの特定の詳細から離れた他の実施形態で、本発明を実践しうることは当業者には明白であろう。すなわち、本明細書には明示的に記述も図示もしないが、本発明の原理を具現し、かつ本発明の精神および範囲内に含まれる種々のアレンジメントを当業者は考案することができるであろう。場合によっては、本発明の記述を不要な詳細で不明瞭にしないように、公知のデバイス、回路及び方法については省略している。原理、態様、実施形態およびそれらの特定の事例を列挙する全ての記述は、それらの構造上および機能上の均等物を包含するものである。さらに、そのような均等物は、現在公知の均等物と将来開発される均等物の両方を含む。すなわち、仕組みに関係なく、同じ機能を果たすあらゆる開発要素を含むものである。
【００１４】
図１は、一実施形態による概念を適用しうる、無線ネットワーク環境１０１を概略的に示す。この無線ネットワーク環境１０１は、基地局１０２、１０３、１０４および端末１０５、１０６、１０７で代表される無線ネットワークのインフラストラクチャを備えている。取り組むＬＴＥシナリオに照らして、基地局は、ｅＮｏｄｅＢとも呼ばれてもよく、端末は、ＵＥとも呼ばれてもよい。本発明を例証するために、本開示においては図１に示すネットワークのような３ＧＰＰのＬＴＥネットワークの用語を使用しているが、このことは、本発明の範囲を前述の方式だけに限定していると見なすべきではないことに留意されたい。また、ＷＣＤＭＡ、ＷｉＭａｘ、ＵＭＢおよびＧＳＭを含む他の無線システムも、本開示内で扱う着想を活用することによって恩恵を受けうる。
【００１５】
図１に示すネットワークのような一例であるネットワークは、一般に、１つ以上のユーザ装置（ＵＥ）と、これらのＵＥと通信可能な１つ以上の基地局とを、ＵＥ間またはＵＥと別の通信デバイス（固定電話など）との間の通信をサポートするのに適した追加の要素とともに有してもよい。図示のＵＥは、ハードウェアおよび／またはソフトウェアの任意の適切な組み合わせを有する通信デバイスを表してもよいが、これらのＵＥは、特定の実施形態においては、図２により詳細に示す、一例であるＵＥなどのデバイスを表してもよい。同様に、図示の基地局は、ハードウェアおよび／またはソフトウェアの任意の適切な組み合わせを有するネットワークノードを表してもよいが、これらの基地局は、特定の実施形態においては、図３により詳細に示す、一例である基地局などのデバイスを表してもよい。
【００１６】
図２の一例であるＵＥ２０１は、プロセッサ２０２、メモリ２０３、トランシーバ２０４およびアンテナ２０５を有する。特定の実施形態においては、移動通信デバイスまたは他の形態のＵＥが提供すると述べている機能の一部または全部は、図２に示すメモリ２０３などのコンピュータで読み取り可能な記憶媒体に格納された命令を、ＵＥプロセッサ２０２が実行することによって提供されてもよい。ＵＥの代替実施形態は、図４に示すコンポーネント以外の追加のコンポーネントで、記述の機能のいずれか、および／または記述する解決手段をサポートするために必要ないずれかの機能を含む、ＵＥの機能のある様相の提供に係わりうる追加のコンポーネントを有してもよい。
【００１７】
図３の一例である基地局３０１は、プロセッサ３０２、メモリ３０３、トランシーバ３０４およびアンテナ３０５を有する。特定の実施形態においては、移動基地局、基地局コントローラ、ノードＢ、発展型ノードＢおよび／または他の任意のタイプの移動通信ノードが提供すると述べている機能の一部または全部は、図３に示すメモリ３０３などのコンピュータで読み取り可能な記憶媒体に格納された命令を、基地局プロセッサが実行することによって提供されてもよい。基地局３０１の代替実施形態は、特定された機能のいずれか、および／または記述する解決手段をサポートするために必要ないずれかの機能を含む、追加の機能の提供に係わる追加のコンポーネントを有してもよい。
【００１８】
一般に、ＬＴＥに関して、ＭＢＭＳ対応ＵＥ（ユーザ装置）は、リンクアダプテーションに関するフィードバックをネットワークに提供しない。すなわち、ネットワークは、信号を所定の確率（通常、９５番目の百分位数が使用される）で復号できるように、変調符号化方式を選択する必要がある。それ故、アップリンクは、ユニキャスト伝送のためだけに使用される。さらに、そのＭＢＭＳ受信状態についても、そのＭＢＭＳ受信能力についても、いかなる情報もネットワークに提供しない。この状況においては、ＭＢＭＳ受信状態は、ＵＥが１つ以上のＭＢＭＳサービスを受信しているか、それともＭＢＭＳサービスを少しも受信していないかを識別するものである。別のＭＢＭＳ受信状態は、１つ以上のＭＢＭＳサービスを受信することに対するＵＥの関心を有していてもよい。ＵＥがＭＢＭＳサービスを受信することに関心があるか、または既に受信している場合、ＭＢＭＳ受信状態は、ＵＥがＭＢＭＳサービスをどの１つ以上の周波数で現在受信しているかの状態を追加で有していてもよい。（ＵＥからネットワークへの）フィードバックは、３ＧＰＰのＲｅｌ−１０から、ネットワーク主導の集計手順中だけに提供されてもよい。例えば、ＵＥは、受信することに関心があるＭＢＭＳサービスについての集計要求をネットワークから受信すると、集計応答メッセージで返答する。
【００１９】
原則として、３ＧＰＰのＲｅｌ−９／１０においては、アイドルモードのＭＢＭＳ対応ＵＥは、サービングセル、すなわち在圏しているセルだけでＭＢＭＳを受信することを求められており、ＭＢＭＳ対応ＵＥが接続モードの場合、そのサービングセル内だけでＭＢＭＳを受信することを求められている。
【００２０】
ＵＥの実装次第では、ＭＢＭＳ対応ＵＥは、いわゆる非サービングセルでもＭＢＭＳサービスを受信可能なことがある。ＵＥは、アイドルモードでそのサービングセルに在圏しているとき、異なる周波数で動作し、かつＭＢＭＳをブロードキャストする隣接セルからのＭＢＭＳを、原理的には受信することができる。ＵＥは、接続モードのとき、同じように非サービングセルでＭＢＭＳを受信することができる。例えば、ＵＥは、あるセルに在圏しているとき、原理的には、ＭＢＭＳをブロードキャストする隣接セルからＭＢＭＳを受信することができる。この能力は、主として、ＵＥの無線フロントエンドおよびベースバンド設計によって決まる。
【００２１】
この状況においては、サービングセルと非サービングセルという用語は、アイドルモードのＵＥと接続モードのＵＥとを区別する必要がないように、アイドルモードのＵＥを扱うためにも使用する。それ故、非サービングセルは、アイドルモードに関しては、ＵＥが在圏していなくて、ページングを監視していないセルであり、接続モードに関しては、ネットワークは、これらの非サービングセルを、ＵＥとユニキャスト通信をするようには設定していない。さらに、非サービングセルは、ＵＥに対して現在設定されているサービングセルを提供しているｅＮＢが同様に提供できるが、同じネットワーク内の隣接ｅＮＢ、または異なるＰＬＭＮ（公衆陸上移動通信網）をブロードキャストしているｅＮＢでさえ提供することができる。
【００２２】
ＵＥが非サービングセルからＭＢＭＳを受信したい場合は、ＵＥは、（プライマリ）サービングセルからＭＢＭＳを受信するために必要な手順と同様の手順を、非サービングセルで行わなければならない。サービングセルまたは非サービングセルでＭＢＭＳを受信するためには、ＭＢＭＳ対応ＵＥは、ＭＢＭＳ受信に関連するシステム情報を運ぶＳＩＢ１３（システム情報ブロック１３）のスケジューリング情報を見つけるために、ＳＩＢ１（システム情報ブロック１）を取得しなければならない。ＭＢＭＳサービスがまだ開始されていない場合、ＵＥは、通常、ＭＣＣＨ（マルチキャスト制御チャネル）に関するＭＢＭＳ固有変更通知を監視する。
【００２３】
マルチ周波数配備においては、特定のＭＢＭＳは、通常、ＭＢＭＳ周波数とも呼ばれる１つの周波数だけで提供される。ネットワークは、通常、異なる周波数で提供される利用可能な隣接セル間に負荷分散を適用する。従って、ネットワークは、ＭＢＭＳサービスを受信している（受信に関心がある）ＵＥを、関心があるＭＢＭＳを提供していない周波数に移動させる決定をすることがある。サービスの継続性をサポートする手段として、ネットワークは、ＵＥに対して適切なサービングセルを選択するために、ＭＢＭＳ状態報告を使用する。ＵＥは、ＭＢＭＳサービスをそのサービスセルで既に受信している場合、ＭＢＭＳ状態報告をネットワークに送信してもよく、そのネットワークは、サービングセルと同じ周波数にＵＥを維持するようにするであろう。ＵＥは、関心のあるＭＢＭＳサービスをＵＥのサービングセルが提供していない場合、どの周波数でＭＢＭＳを受信することに関心があるかをネットワークに通知するために、ＭＢＭＳ状態報告をネットワークに送信してもよい。ネットワークは、通常、その周波数で動作している適切なセルを、ＵＥの新しいサービングセルとして設定する。
【００２４】
キャリアアグリゲーション（ＣＡ）は、より高いデータレートを端末に提供できるように、ＵＥが同時に送信および／または受信できる複数のキャリアを使用する概念のことである。Ｒｅｌ−１０においては、いわゆるコンポーネントキャリアのそれぞれは、最大２０ＭＨｚ幅であってもよい。ＵＥからおよびＵＥへの同時送信のために同じまたは異なる周波数帯の連続または不連続のキャリアを集約することによって、データレートを高くできるようにするために、３ＧＰＰのＲｅｌ−１０において、キャリアアグリゲーション（ＣＡ）機能が導入された。このようにして、より高速なデータレートをＵＥに提供することができる。あるいは、より一層重要なことは、宣伝しているＬＴＥ（ロングタームエボリューション）のデータレートを達成するために、オペレータは、２０ＭＨｚの連続したスペクトルを所有する必要がなく、キャリアアグリゲーションにより、分散されたスペクトル要素の同時使用が可能になる。キャリアアグリゲーションの状況においては、サービングセルが使用するキャリア周波数にＵＥがその無線フロントエンドを合わせることができるように、サービングｅＮＢは、ＵＥにどのサービングセルを集約するかを通知する。
【００２５】
ＵＥの能力に応じて、キャリアアグリゲーションまたはサービングセルを設定できるようにするために、３ＧＰＰは、キャリアアグリゲーションに関して、ＵＥがどの周波数帯のどのキャリアの組み合わせをサポートするかをネットワークに通知するＳｕｐｐｏｒｔｅｄＢａｎｄＣｏｍｂｉｎａｔｉｏｎ情報要素（ＩＥ）を定義した。
【００２６】
ＳｕｐｐｏｒｔｅｄＢａｎｄＣｏｍｂｉｎａｔｉｏｎ  ＩＥは、例えば非特許文献２のセクション４．３．５．２に定義されている。このセクションによれば、ＳｕｐｐｏｒｔｅｄＢａｎｄＣｏｍｂｉｎａｔｉｏｎフィールドが、帯域間、帯域内不連続、帯域内連続のキャリアアグリゲーションを有する設定、およびキャリアアグリゲーションを有さない設定をするために、ＵＥがサポートするキャリアアグリゲーションおよびＭＩＭＯ能力を定義している。帯域組み合わせの各帯域において、アップリンクおよびダウンリンクに関して、サポートしているＣＡ帯域幅クラスおよび対応するＭＩＭＯ能力を提供する。ＭＩＭＯ能力は、帯域組み合わせにおける１つの帯域の全てのキャリアに適用される。全ての非ＣＡ帯域組み合わせにおいて、ＵＥは、その帯域に関して規定された最大チャネル帯域幅をサポートする帯域幅クラスを示すものとする。
【００２７】
サービングｅＮＢは、ＳｕｐｐｏｒｔｅｄＢａｎｄＣｏｍｂｉｎａｔｉｏｎ  ＩＥから、ＵＥが並行してどの複数のセルでの送受信をサポートできるかを導出することができる。ＵＥのサービングセルとして選択された複数のセルは、帯域組み合わせに関して挙げられている各周波数帯に設けられたＣＡ帯域幅クラスに対応する集約帯域幅を超えてはならない。サービングセルをキャリアアグリゲーション設定するということは、この状況においては、サービングｅＮＢが、制御シグナリングによって、ＵＥがどのサービングセルを使用することになっているかをＵＥに通知することを意味する。３ＧＰＰのＲｅｌ−１０によるキャリアアグリゲーション対応ＵＥには、最大５つのサービングセルまで設定しうる。また、ｅＮＢは、Ｐセル（プライマリサービングセル）を選択して、ＵＥにこの選択について通知する必要がある。従って、残りのサービングセルは、自動的にＳセル（セカンダリサービングセル）になる。ＵＥは、Ｐセルからのみシステム情報を読み出すことを求められており、Ｓセルからシステム情報を読み出す必要はない。関連するシステム情報は、通常、既に設定されているサービングセルの専用シグナリングによってＵＥに提供されている。
【００２８】
３ＧＰＰのＲｅｌ−１０においては、ＣＡおよびＭＢＭＳ対応ＵＥの最小要件は、Ｐセル（プライマリサービングセル）でＭＢＭＳを受信できることであり、Ｐセル以外のセルでのＭＢＭＳの受信は、ＵＥの実装次第である。Ｒｅｌ−１０の仕様によれば、ネットワークは、ＭＢＭＳ受信状態もＭＢＭＳ受信能力も知らない。この状況では、ＭＢＭＳ受信能力は、２要素からなる。第１に、ＭＢＭＳ受信能力には、ＵＥが少なくとも周波数帯のどのキャリアでＭＢＭＳサービスを受信できるかについてのＵＥの能力を含む。第２に、ＭＢＭＳ受信能力には、ＵＥがＰセルのみで、それとも任意のサービングセルで、それとも非サービングセルでもＭＢＭＳを受信できるかのＵＥの能力を含む。
【００２９】
Ｒｅｌ−１０までは、ＭＢＭＳ対応ＵＥは、移動手順がＭＢＭＳサービスの継続性を提供できないので、ＭＢＭＳ受信状態をネットワークに報告できない。
【００３０】
ＵＥがＭＢＭＳを受信している（受信することに関心がある）ことをＵＥからネットワークに通知（どのキャリアでＭＢＭＳを受信するつもりかの情報を含む）した場合でさえ、ネットワークは、ＵＥが他のキャリアでユニキャストトラヒックを受信できるか否かを依然として知らない。ＵＥが他のキャリアでユニキャストトラヒックを受信できるとしても、ネットワークは、どのキャリアかを知らない。
【００３１】
ＭＢＭＳの受信を可能にするためには、Ｒｅｌ−１０によるネットワークは、ＵＥがＭＢＭＳを受信することに関心があるキャリアにＰセルを設定する必要がある。ＵＥが複数のＭＢＭＳキャリアに関心を示す場合は、ネットワークは憶測をしない。
【００３２】
Ｒｅｌ−１０のネットワークは、ユニキャスト送信をどのデータレートでスケジュールできるかも分からないが、ＵＥは、ＵＥの処理能力およびＭＩＭＯ（複数入力複数出力）能力を超えない範囲で、ＭＢＭＳサービスを受信している。
【００３３】
ＭＢＭＳおよびＣＡ対応ＵＥがそのＭＢＭＳ受信状態を全然提供しない場合、ネットワークは、サービングセル設定のために、ＵＥのＭＢＭＳの受信を考慮することができない。ＵＥがサポートするキャリア数より多いキャリア数でＭＢＭＳとユニキャストの並行受信を行っている場合、ＵＥは、その優先度に応じて、ＭＢＭＳパケットまたはユニキャストパケットを落とすことがあり、ＭＢＭＳ性能またはユニキャスト性能が悪化することになる。失われたパケットを再送信することはできるが、再送信は、ユニキャストのデータレートを下げ、ユニキャスト通信に対するユーザの認識を悪くする。
【００３４】
図４は、Ｒｅｌ−１０に定義されているＳｕｐｐｏｒｔｅｄＢａｎｄＣｏｍｂｉｎａｔｉｏｎ  ＩＥを簡易化した例を示す。各行は、１つの帯域の組み合わせに相当する。このＲｅｌ−１０のＩＥは、ＵＥが帯域ａ（行１）または帯域ｂ（行２）の最大２００のリソースブロック（クラスＣ）を有する、最大２つのキャリアの帯域内連続キャリアアグリゲーションの能力があることを示している。さらに、ＵＥは、最大１００のリソースブロック（クラスＡ）をそれぞれ有する帯域ごとに１つのキャリアの、帯域間キャリアアグリゲーションの能力がある。
【００３５】
本明細書に記述する概念によれば、ＵＥは、ＵＥ能力シグナリングの一部として、ＵＥからネットワークに提供するＳｕｐｐｏｒｔｅｄＢａｎｄＣｏｍｂｉｎａｔｉｏｎ  ＩＥに従って、（セカンダリ）サービングセルとしても設定できる任意のキャリアでのＭＢＭＳ受信をサポートする。ＬＴＥのＳｕｐｐｏｒｔｅｄＢａｎｄＣｏｍｂｉｎａｔｉｏｎ  ＩＥは、非特許文献３に定義されている。
【００３６】
これらの概念の１つの態様は、ネットワークがＳｕｐｐｏｒｔｅｄＢａｎｄＣｏｍｂｉｎａｔｉｏｎ  ＩＥからＵＥのＭＢＭＳ受信能力を導出し、依然としてＵＥがＭＢＭＳサービスを受信するのを可能にしつつ、どのベアラをサービングセル（プライマリサービングセル（Ｐセル））またはセカンダリサービングセル（Ｓセル））として設定しうるかを決定するものである。
【００３７】
これらの概念の好ましい態様は、ＵＥが関心のあるＭＢＭＳサービスまたはキャリアについての情報も、ネットワークに提供することである。
【００３８】
ＵＥが関心のあるＭＢＭＳサービスまたはキャリアについての追加の情報を用いて、依然としてＵＥに関心のあるＭＢＭＳサービスの受信を可能にしつつ、ｅＮＢは、どのセルをサービングセルとして設定できるかを判定してもよい。
【００３９】
別の実施形態においては、ＵＥは、ＳｕｐｐｏｒｔｅｄＢａｎｄＣｏｍｂｉｎａｔｉｏｎ  ＩＥに従って（セカンダリ）サービングセルとしても設定できる任意のキャリアでのＭＢＭＳ受信をサポートするかどうかを、例えば追加の情報要素などを用いて明示的に示す。明示的に示す場合だけ、最初のパラグラフで概要を述べた手順が適用される。
【００４０】
ＳｕｐｐｏｒｔｅｄＢａｎｄＣｏｍｂｉｎａｔｉｏｎ  ＩＥを再利用するには、キャリアアグリゲーションをサポートする帯域組み合わせと、ＭＢＭＳをサポートする帯域組み合わせをそろえる必要があることに留意されたい。換言すると、ある帯域の組み合わせでユニキャストおよびＭＢＭＳの受信を行うＵＥは、その組み合わせでキャリアアグリゲーションもサポートしなければならない。しかし、これは、受け入れ可能な規制に見える。
【００４１】
本開示は、一般に、基地局（例えば、ｅＮＢまたはＲＮＣ）などのネットワークノードとＵＥとを備える移動通信システムにおける方法に関する。
【００４２】
一実施形態は、ネットワークノード（例えば、ｅＮＢまたはＲＮＣ）における方法を提供する。この方法には、上記で既に示した工程を備えていてもよい。
【００４３】
ネットワークノードにおける方法は、ユーザ装置が少なくとも１つのＳセルおよび／または少なくとも１つの非サービングセルでのＭＢＭＳの受信をサポートするかどうかについての（フラグなどの）表示を（端末などの）ユーザ装置から受信する工程を備えていてもよい。
【００４４】
ネットワークノードにおける方法は、ＵＥがキャリアアグリゲーションをサポートする帯域組み合わせの情報を備える情報要素（例えばＳｕｐｐｏｒｔｅｄＢａｎｄＣｏｍｂｉｎａｔｉｏｎ  ＩＥ）を、受信する工程をさらに備えていてもよい。
【００４５】
ネットワークノードにおける方法は、受信した表示および受信した情報要素に基づいて、少なくとも１つのキャリアをサービングセルとして設定する工程をさらに備えていてもよい。
【００４６】
ネットワークノードにおける方法の範囲内において、少なくとも１つのキャリアの設定は、ＵＥがＭＢＭＳを受信することに関心があるかどうかの表示にさらに基づいていてもよい。
【００４７】
一実施形態は、ＵＥにおける方法を提供する。方法は、上記で既に示した工程を備えていてもよい。
【００４８】
ＵＥにおける方法は、ＵＥが少なくとも１つのＳセルおよび／または少なくとも１つの非サービングセルでのＭＢＭＳの受信をサポートするかどうかの（フラグなどの）表示を、ネットワークノードに送信する工程を備えていてもよい。ＵＥにおける方法は、ＵＥがＭＢＭＳを受信することに関心があるかどうかについて送信する工程をさらに備えていてもよい。
【００４９】
本開示の１つの態様は、上記の基地局における方法を行うように構成された基地局を提供する。本開示の１つの態様は、上記のＵＥにおける方法を行うように構成されたＵＥを提供する。
【００５０】
図５は、２つの周波数帯ａおよびｂを考慮する、一例であるシナリオを示す。周波数帯ａは、キャリアｆ１およびキャリアｆ２を備え、周波数帯ｂは、キャリアｆ３およびキャリアｆ４を備えている。ＭＢＭＳは、キャリアｆ２だけで提供されている。すなわち、ＭＢＭＳは、キャリアｆ１、ｆ３、ｆ４では提供されていない。
【００５１】
このマルチ周波数シナリオ（キャリアｆ１、ｆ２、ｆ３、ｆ４を有し、帯域ａのキャリアｆ２でＭＢＭＳが提供されている）に関して、次の例は、ネットワークが適切な（プライマリ／セカンダリ）サービングセル設定を行うのを支援するために、ＵＥがＰセル以外のセルでＭＢＭＳを受信できるかどうかを示す追加のフラグを有するＳｕｐｐｏｒｔｅｄＢａｎｄＣｏｍｂｉｎａｔｉｏｎ  ＩＥを、どのように使用しうるかを述べる。上述のように、フラグは、明示的であってもよいし、また暗示的であってもよい。
【００５２】
これらの例においては、図１に要約される帯域組み合わせをサポートする、ＭＢＭＳおよびＣＡ対応ＵＥを考慮する。
【００５３】
さらに、このＵＥは、Ｐセル以外のセル／キャリアでのＭＢＭＳの受信をサポートしていることを示し、あるキャリアでＭＢＭＳを受信したいとの意向をネットワークに通知すると、想定するものとする。この情報を手元において、ｅＮＢは、現在設定されているサービングセルによって、ＵＥが意図しているＭＢＭＳを受信することができるかどうか、そしてできない場合、どの再設定を行うことができるかを決定することができる。このようなＵＥに関して幾つかの例／事例を以下に述べる。
【００５４】
事例１：ＵＥがそのＰセルをｆ２に有し、Ｓセルは設定されておらず、このキャリアで提供されるＭＢＭＳサービスに関心を示す場合、ｅＮＢは、ＵＥがＭＢＭＳを受信できることが分かる。このＵＥに対しては、ＭＢＳＦＮサブフレームにユニキャストデータがスケジュールされていないので、ＵＥの処理能力に関して特別の配慮を行う必要がない。この事例は、Ｒｅｌ−１０のＵＥに既に適用されている。
【００５５】
事例２：ＵＥがそのＰセルをｆ１、ｆ３またはｆ４に有し、Ｓセルは設定されていないと想定する。ＵＥがｆ２でのＭＢＭＳサービスに関心を示す場合、ネットワークは、ＵＥが意図しているＭＢＭＳサービスを受信できるようにするために、Ｐセルのｆ２へのハンドオーバを開始してもよい。しかし、Ｓセルが設定されていないということと相まって、ＵＥが提供した情報により、ネットワークは、現在設定されているＰセルを維持することができ、それでもなお、ＵＥのＲＦ能力によってｆ２でＭＢＭＳを受信できると確信することができる。ＵＥがそのＰセルをｆ１に有する場合、このことは、行１（図４参照）に示される帯域内アグリゲーション能力から導出されてもよい。ＵＥがそのＰセルをｆ３またはｆ４に有する場合、行３に示される帯域間アグリゲーションのサポートから、ＵＥが非サービングセルであるｆ２でＭＢＭＳを受信できると判断される。
【００５６】
事例３：ＵＥが帯域ａ（キャリアｆ１＋ｆ２）で帯域内キャリアアグリゲーションを行えるように設定されている場合、ＵＥは、ｆ２がＰセルであろうとＳセルであろうと、同様にｆ２でＭＢＭＳを受信することができる。
【００５７】
事例４：ＵＥが帯域ｂ（キャリアｆ３＋ｆ４）で帯域内キャリアアグリゲーションを行えるように設定されている場合、（図４）（行２を参照されたい。）、ネットワークは、ＵＥがｆ２でＭＢＭＳを受信できないことが分かる。それ故、ＵＥがキャリアｆ２でＭＢＭＳを受信することへの関心を示すと直ぐに、ネットワークは、帯域ｂのサービングセルの少なくとも１つを解除するはずである。状況に応じて、ｆ３またはｆ４と合わせて、サービングセルをｆ２に設定してもよい。行３を参照されたい。あるいは、ｆ１とｆ２のキャリアアグリゲーションを設定することができる。行１を参照されたい。
【００５８】
ネットワークは、ＵＥに対するサービスの継続を確実にするために、ＭＢＭＳキャリア／セルをＰセルとして設定するように強要されない場合、キャリアでのチャネル品質とＵＥが示した帯域組み合わせ能力の両方に基づいて、キャリアアグリゲーションシナリオにおいて柔軟にＰセルを選択できるという大きな利点を有する。例えば、ネットワークは、ＭＢＭＳの受信を継続中に、ユニキャストに関する送信性能および受信性能を最大化または維持しうる。
【００５９】
図６は、一実施形態による、無線ネットワークにおける方法のフロー図を概略的に示す。ステップＳ６０１において、ｅＮｏｄｅＢは、帯域組み合わせ情報要素を受信する。ステップＳ６０２において、ｅＮｏｄｅＢは、ＵＥがセカンダリセルまたは非サービングセルでＭＢＭＳを受信できるかどうかのフラグを受信する。このフラグは、暗示的であってもよいし、また明示的であってもよい。「Ｙｅｓ」の場合、サービングセルは、例えば３ＧＰＰのＲｅｌ−１０などに記載されている概念に従って設定される。「Ｎｏ」の場合、ステップＳ６０３において、ＵＥがＭＢＭＳの受信に関心があるかどうかが確認される。「Ｙｅｓ」の場合、ステップ６０４において、ＵＥがセカンダリセルまたは非サービングセルでＭＢＭＳを受信できるかどうかが確認される。
【００６０】
「Ｎｏ」の場合、ステップ６０５において、ＭＢＭＳセルは、プライマリサービングセルとして設定される。「Ｙｅｓ」の場合、ステップ６０６において、ＭＢＭＳをカバーする少なくとも１つの帯域組み合わせが選択される。ｅＮＢの戦略に応じて、ＵＥは、例えばＵＥに対する信号品質またはキャリアの負荷などに基づいて、選択された帯域組み合わせの中から適切な帯域組み合わせを選択する。
【００６１】
ステップＳ６０７において、ＵＥにキャリアアグリゲーションが設定されているかどうかが確認される。「Ｎｏ」の場合、ステップＳ６０８において、任意の帯域組み合わせに従って、サービングセルが選択される。ｅＮＢは、ＵＥにキャリアアグリゲーションが設定された以降の時点で、特定の帯域組み合わせを選択してもよく、ステップＳ６０９に従ってＵＥに対して追加のサービングセルを設定する。
【００６２】
「Ｙｅｓ」の場合、ステップＳ６０９において、少なくとも１つの選択された帯域組み合わせに従って、プライマリサービングセルが選択される。ステップＳ６１０において、少なくとも１つの選択された帯域組み合わせに従って、少なくとも１つのセカンダリサービングセルが選択される。
【００６３】
このようにして、ＭＢＭＳサービスまたはユニキャストサービスの品質などの、ある種の尺度に従ったサービングセルの選択に融通性を提供しつつ、ＭＢＭＳサービスの継続性が達成される。
【００６４】
図７は、端末に対するマルチメディア・ブロードキャスト・マルチキャスト・サービス（ＭＢＭＳ）の継続性をサポートする方法のフロー図を概略的に示す。方法を実施するために、図７に示されるステップの１つ以上が、例えばＥ−ＵＴＲＡＮのような無線アクセスネットワークなどの、ネットワークによって行われてもよい。図７に示されるステップの１つ以上が、特に、移動通信ネットワークのｅＮｏｄｅＢなどの基地局で行われてもよい。
【００６５】
ステップＳ７０１において、基地局は、端末がキャリアアグリゲーションをサポートする帯域の組み合わせを基地局に通知する情報要素を、端末から受信する。
【００６６】
情報要素は、例えばＲｅｌ−１０のＬＴＥ標準などに規定されているＳｕｐｐｏｒｔｅｄＢａｎｄＣｏｍｂｉｎａｔｉｏｎ情報要素であってもよい。情報要素は、周波数帯の組み合わせを備えていてもよい。ここで、各帯域は、キャリアアグリゲーションをサポートする帯域幅クラスに関係付けられている。基地局に通知する項目は、情報要素が特定の情報を実際に備えることか、または基地局がその情報要素から、およびたぶん基地局で利用可能な他の情報リソースとともに、特定の情報を決定することを備えていてもよい。
【００６７】
受信した情報要素から、基地局は、端末のサービングセルとして設定しうるキャリアを導出することができる。サービングセルは、例えば、プライマリサービングセルおよび／または少なくとも１つのセカンダリサービングセルであってもよい。端末は、情報要素に従って端末のサービングセルとして設定可能な任意のキャリアでのＭＢＭＳの受信をサポートする。このようにして、端末がＭＢＭＳをどのキャリアで受信可能かについての情報は、暗示的に基地局に伝達されてもよい。
【００６８】
ステップＳ７０３において、基地局は、受信した情報要素から端末のＭＢＭＳ受信能力を導出する。このＭＢＭＳ受信能力には、端末がＭＢＭＳを受信できるキャリアを含んでいる。ＭＢＭＳ受信能力には、サポートされている帯域組み合わせの少なくとも１つによってカバーされるＰセル、Ｓセルまたは非サービングセルとして、ＭＢＭＳキャリアが設定されなければならないかどうかをさらに含んでいてもよい。
【００６９】
ステップＳ７０４において、基地局は、端末が少なくとも１つのＭＢＭＳを受信可能になるように、基地局が端末のサービングセルとして設定できる幾つかのキャリアを決定する。この決定は、導出されたＭＢＭＳ能力に基づいている。サービングセルは、プライマリサービングセルまたは少なくとも１つのセカンダリサービングセルであってもよい。
【００７０】
基地局は、決定した幾つかのキャリアに基づいて、端末のサービングセルとして少なくとも１つのキャリアを設定してもよい。基地局は、端末が非サービングセルまたはサービングセルから少なくとも１つのＭＢＭＳを受信可能になるように、端末のサービングセルとして少なくとも１つのキャリアを設定することができる。
【００７１】
接続モードの端末に関しては、サービングセルは、端末がユニキャストデータを送受信できるセルである。すなわち、無線ベアラが確立されているセルである。非サービングセルは、端末がその非サービングセルに接続するために必要な全ての情報をブロードキャストする。非サービングセルには、無線ベアラは確立されていない。
【００７２】
オプションのさらなるステップＳ７０５において、基地局は、端末が関心のある少なくとも１つのＭＢＭＳおよび／またはＭＢＭＳの少なくとも１つのキャリアの表示を、端末から取得する。例えば、端末は、ある周波数でブロードキャストサービス（ＭＢＭＳ）を受信することに関心があることを示すために、ＭＢＭＳサービスのこの周波数を基地局に送信する。
【００７３】
オプションのさらなるステップＳ７０６において、基地局は、端末が関心のある少なくとも１つのＭＢＭＳサービスを端末が受信できるように、決定した幾つかのキャリアおよび受信した表示に基づいて、少なくとも１つのキャリアを端末のサービングセルとして設定する。例えば、基地局は、少なくとも１つのサポートされている帯域組み合わせに含まれる少なくとも１つの決定したキャリアに基づいて、および端末が関心を示したＭＢＭＳサービスに基づいて、サービングセルを設定する。端末は、サービングセルまたは非サービングセルからＭＢＭＳを受信できるとき、ＭＢＭＳサービスを受けることが可能になる。
【００７４】
オプションのステップＳ７０２において、基地局は、情報要素に従って、サービングセルとして設定可能な任意のキャリアでのＭＢＭＳの受信を、端末がサポートするという明示的な表示を端末から取得する。この明示的な表示は、追加または第２の情報要素によって与えられてもよい。例えば、追加または第２の情報要素が、情報要素に従ってサービングセルとして設定可能な任意のキャリアでのＭＢＭＳの受信をサポートすることを示す場合だけ、略述した手順が行われるものとする。例えば、追加または第２の情報要素によって、それぞれのキャリアでのＭＢＭＳのサポートが示されている場合だけ、導出ステップＳ７０３と、決定ステップＳ７０４と、ステップＳ７０５および／またはＳ７０６などのありうるさらなるステップとが行われる。
【００７５】
図８は、端末に対するＭＢＭＳサービスの継続性をサポートする、端末における方法のフロー図の概略を示す。図７に関しては、本発明の概念を基地局の視点から述べているのに対して、図８に関しては、類似の概念を端末の視点から述べている。ＭＢＭＳサービスの継続性には、サービスセルが特定の周波数で設定されるとき、ＭＢＭＳサービスの継続性がサポートされることを含む。特に、サポートされている帯域組み合わせによって、サービングセルおよび非サービングセルがカバーされる場合に、このサービングセルまたは非サービングセルでのＭＢＭＳの受信を確実にすることができる。
【００７６】
ステップＳ８０１において、端末は、端末がキャリアアグリゲーションをサポートする帯域の組み合わせを基地局に通知する情報要素を、基地局に送信する。この情報要素から、サービングセルとして設定できるキャリアを、基地局は導出することができる。端末は、情報要素に従って端末のサービングセルとして設定可能な任意のキャリアでの、ＭＢＭＳの受信をサポートする。このようにして、端末がＭＢＭＳをどのキャリアで受信可能かについての情報が、暗示的に基地局に伝達されてもよい。情報要素は、例えばＲｅｌ−１０のＬＴＥ標準などに規定されている、ＳｕｐｐｏｒｔｅｄＢａｎｄＣｏｍｂｉｎａｔｉｏｎ情報要素であってもよい。情報要素については、図７に関してさらに検討する。
【００７７】
オプションのステップＳ８０２において、端末は、関心のある少なくとも１つのＭＢＭＳおよび／またはＭＢＭＳの少なくとも１つのキャリアを基地局に示す。端末は、非サービングセルまたはサービングセルから少なくとも１つのＭＢＭＳを受信しうる。
【００７８】
オプションのステップＳ８０３において、端末は、情報要素に従ってサービングセルとして設定可能な任意のキャリアでのＭＢＭＳの受信を端末がサポートすることを、基地局に明示的に示す。明示的表示は、追加または第２の情報要素によって行われてもよい。
【００７９】
図９は、一実施形態による、基地局９０１において上記の概念を実施する例示的構成を概略的に示す。図示の構成においては、基地局９０１は、端末１００１とデータを送受信するための無線インタフェース９０２を有する。送信機（ＴＸ）の機能を実施するために、無線インタフェース９０２は、１つ以上の送信機９０４を有していてもよく、受信機（ＲＸ）の機能を実施するために、無線インタフェース１３０は、１つ以上の受信機９０３を有していてもよいことを理解されたい。受信機９０３は、特に、端末から上述の情報要素を受信するように構成されていてもよい。さらに、基地局９０１は、ネットワークの他のノードと通信するためのインタフェース９０５を有していてもよい。
【００８０】
さらに、基地局９０１は、インタフェース９０２および９０５に結合されたプロセッサ９０６と、プロセッサ９０６に結合されたメモリ９０７とを有する。メモリ９０７は、例えばフラッシュＲＯＭなどのリードオンリメモリ（ＲＯＭ）、例えばダイナミックＲＡＭ（ＤＲＡＭ）またはスタティックＲＡＭ（ＳＲＡＭ）などのランダムアクセスメモリ（ＲＡＭ）、あるいは例えばハードディスクまたは固体ディスクなどのマスストレージ等を有していてもよい。メモリ９０７は、ＢＳ９００の上述の機能を実施するために、プロセッサ９０６によって実行される適切に構成されたプログラムコードを有する。より具体的には、メモリ９０７は、受信した情報要素から、端末のＭＢＭＳ受信能力の導出などの上述の概念を実現し、かつ幾つかのキャリアを決定するための、制御モジュール９０８を有していてもよい。さらに、メモリ９０７は、端末のサービングセルとして少なくとも１つのキャリアを設定するなどの上述の概念を実現するための、構成モジュール９０９を有していてもよい。
【００８１】
図９に示す構成が単なる概略であり、基地局９０１は、明瞭にするために図示していない、例えばさらなるインタフェースまたは追加のプロセッサなどのさらなるコンポーネントを実際には有していてもよいことを理解されたい。また、メモリ９０７は、図示されていないさらなるタイプのプログラムコードモジュールを有していてもよいことも理解されたい。例えば、メモリ９０７は、例としてｅＮｏｄｅＢの公知の機能などの基地局の典型的な機能を実施するプログラムコードモジュールを有していてもよい。
【００８２】
幾つかの実施形態によれば、メモリ９０７に格納されるプログラムコードおよび／または他のデータを格納する、例えばコンピュータで読み取り可能な記憶媒体などのコンピュータプログラムプロダクトもまた、本発明の実施形態による概念を実施するために提供されてもよい。
【００８３】
図１０は、端末１００１において上述の概念を実施する例示的構成を概略的に示す。図示の構成においては、端末１００１は、例えば基地局９０１などを介して、移動ネットワークとデータを送受信するための無線インタフェース１００２を有する。特に、無線インタフェース１００２は、上述の情報要素を基地局９０１に送信するように構成されていてもよい。送信機（ＴＸ）の機能を実施するために、無線インタフェース１００２は、１つ以上の送信機１００３を有していてもよく、受信機（ＲＸ）の機能を実施するために、無線インタフェース１００２は、１つ以上の受信機１００４を有していてもよいことを理解されたい。
【００８４】
さらに、端末１００１は、無線インタフェース１００２に結合されたプロセッサ１００５と、このプロセッサ１００５に結合されたメモリ１００６とを有する。メモリ１００６は、例えばフラッシュＲＯＭなどのＲＯＭ、例えばＤＲＡＭまたはＳＲＡＭなどのＲＡＭ、あるいは例えばハードディスクまたは固体ディスクなどのマスストレージ等を有していてもよい。メモリ１００６は、端末１００１の上述の機能を実施するために、プロセッサ１００５によって実行される適切に構成されたプログラムコードを有する。より具体的には、メモリ１００６は、例えば情報要素を、この情報要素に従って端末のサービングセルとして設定可能な任意のキャリアでのＭＢＭＳの受信を端末がサポートするように設定する構成モジュールを有していてもよい。さらに、メモリ１００６は、種々の制御動作を行う制御モジュール３０８を有していてもよい。
【００８５】
図９に示す構成が単なる概略であり、端末１００１は、明瞭にするために図示していない、例えばさらなるインタフェースまたは追加のプロセッサなどのさらなるコンポーネントを実際には有していてもよいことを理解されたい。また、メモリ１００６は、図示されていないさらなるタイプのプログラムコードモジュールを有していてもよいことも理解されたい。例えば、メモリ１００６は、端末の典型的な機能を実施するためのプログラムコードモジュール、またはプロセッサ１００５によって実行される１つ以上のアプリケーションのプログラムコードを有していてもよい。
【００８６】
幾つかの実施形態によれば、メモリ１００６に格納されるプログラムコードおよび／または他のデータを格納する、例えばコンピュータで読み取り可能な記憶媒体などのコンピュータプログラムプロダクトもまた、本発明の実施形態による概念を実施するために提供されてもよい。
【００８７】
上述の実施形態は、端末から基地局に端末のＭＢＭＳ受信能力を暗示的に通知し、基地局がこの情報を使用して、ＭＢＭＳの受信を可能にできるようにサービングセルを設定するために、幾つかのキャリアを決定するという概念によって、ＭＢＭＳの継続性をサポートする。また、この概念は、サービングセルの設定において、さらなる自由度も提供する。例えば、ユニキャスト送信およびまたはＭＢＭＳ送信の品質を改善させるように、例えばそれぞれのサービスにおけるパケット損失数を低減させるように、サービングセルが設定されてもよい。また、このさらなる自由度は、ある種のインタフェースを減少するために使用されてもよい。それでもなお、ＭＢＭＳの継続性はサポートされる。ＭＢＭＳの受信は、設定されたサービングセルの１つまたは非サービングセルで行われてもよい。
【００８８】
上述の概念によれば、ネットワーク（または基地局）は、ＵＥ（または端末）が所望のＭＢＭＳサービスを受信できるのを確実にできる一方で、大きい融通度でユニキャスト通信用に（プライマリ／セカンダリ）サービングセルを依然として設定することができる。
【００８９】
ユニキャストのサービングセルを適切に構成することにより、ＵＥ（または端末）は、ＭＢＭＳパケットまたはユニキャストパケットを落とさなければならなくなるのを避けられる。ＵＥ（または端末）がＰセル以外のセルでのＭＢＭＳの受信をサポートする場合、ユニキャストの性能を最大にするように、ネットワークがＰセルを最適に選択することができる。
【００９０】
ＳｕｐｐｏｒｔｅｄＢａｎｄＣｏｍｂｉｎａｔｉｏｎ  ＩＥに従って、ＵＥ（または端末）が（セカンダリ）サービングセルとしても設定することができる任意のキャリアでのＭＢＭＳ受信をサポートするか否かを示す追加の情報要素を使用することにより、後方互換性があるように機能を導入することが可能になる。この意味は、この機能をサポートするＵＥ（または端末）に関してだけ、ネットワークは、ＳｕｐｐｏｒｔｅｄＢａｎｄＣｏｍｂｉｎａｔｉｏｎ  ＩＥからＭＢＭＳ受信能力を導出するということである。
【００９１】
これまで説明した例および実施形態は単なる例証であり、種々の変更を受け入れるものであることを理解されたい。例えば、上記の概念は、上述のＬＴＥ移動ネットワークの例とは異なるいろいろなタイプの移動ネットワークにおいて使用することができる。さらに、上記の概念は、既存の移動ネットワークノードまたはＵＥの中に対応して設計されたソフトウェアを用いて、またはそのような移動ネットワークノードまたはＵＥに専用のハードウェアを用いて実施されてもよいことを理解されたい。
【図１】
2014528192.tif 000003
【図２】
2014528192.tif 000004
【図３】
2014528192.tif 000005
【図４】
2014528192.tif 000006
【図５】
2014528192.tif 000007
【図６】
2014528192.tif 000008
【図７】
2014528192.tif 000009
【図８】
2014528192.tif 000010
【図９】
2014528192.tif 000011
【図１０】
2014528192.tif 000012
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
端末（１００１）に対するマルチメディア・ブロードキャスト・マルチキャスト・サービス（ＭＢＭＳ）の継続性をサポートする、移動通信ネットワークの基地局（９０１）における方法であって、
前記基地局（９０１）が、前記端末（１００１）がキャリアアグリゲーションをサポートする帯域の組み合わせについて前記基地局（９０１）に通知するための情報要素を、前記端末から（１００１）受信する工程（Ｓ７０１）と、
前記基地局（９０１）が、前記受信した情報要素から前記端末（１００１）のＭＢＭＳ受信能力を導出する工程（Ｓ７０３）と、
前記端末（１００１）が少なくとも１つのＭＢＭＳを受信可能となるように、前記基地局（９０１）が前記端末（１００１）のサービングセルとして設定可能な１つ以上のキャリアを、前記基地局（９０１）が決定する工程（Ｓ７０４）と、
を含み、
前記端末（１００１）は、前記情報要素に従って前記端末（１００１）のサービングセルとして設定可能なキャリアでのＭＢＭＳの受信をサポートすることを特徴とする方法。
【請求項２】
前記基地局（９０１）が、前記端末（１００１）から、前記端末（１００１）が関心のある少なくとも１つのＭＢＭＳと、前記端末（１００１）が関心のあるＭＢＭＳの少なくとも１つのキャリアの両方、或いは、いずれかの表示を取得する工程（Ｓ７０５）をさらに含むことを特徴とする請求項１に記載の方法。
【請求項３】
前記基地局（９０１）は、前記端末が（１００１）関心のある前記少なくとも１つのＭＢＭＳを前記端末（１００１）が受信できる様に、前記決定したキャリア及び前記受信した表示に基づき前記端末（１００１）のサービングセルとして少なくとも１つのキャリアを設定する（Ｓ７０６）ことを特徴とする請求項２に記載の方法。
【請求項４】
前記基地局（９０１）は、前記端末（１００１）が非サービングセルから前記少なくとも１つのＭＢＭＳを受信できる様に、前記端末（１００１）のサービングセルとして前記少なくとも１つのキャリアを設定することを特徴とする請求項１から３のいずれか１項に記載の方法。
【請求項５】
前記基地局（９０１）は、前記端末（１００１）がサービングセルから前記少なくとも１つのＭＢＭＳを受信できる様に、前記端末（１００１）のサービングセルとして前記少なくとも１つのキャリアを設定することを特徴とする請求項１から３のいずれか１項に記載の方法。
【請求項６】
前記基地局（９０１）は、発展型ノードＢであることを特徴とする請求項１から５のいずれか１項に記載の方法。
【請求項７】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項１から６のいずれか１項に記載の方法。
【請求項８】
前記基地局（９０１）が、前記端末（１００１）が前記情報要素に従いサービングセルとして設定可能なキャリアでのＭＢＭＳ受信をサポートすることの明示的な表示を前記端末から取得する工程（Ｓ７０２）をさらに含むことを特徴とする請求項１から７のいずれか１項に記載の方法。
【請求項９】
端末に対するマルチメディア・ブロードキャスト・マルチキャスト・サービス（ＭＢＭＳ）の継続性をサポートする、前記端末（１００１）における方法であって、
前記端末がキャリアアグリゲーションをサポートする帯域の組み合わせについて前記基地局（９０１）に通知する情報要素を、前記基地局（９０１）に送信する工程（Ｓ８０１）を含み、
前記端末（１００１）は、前記情報要素に従って前記端末（１００１）のサービングセルとして設定可能なキャリアでのＭＢＭＳの受信をサポートすることを特徴とする方法。
【請求項１０】
前記端末（１００１）が、前記端末が関心のある少なくとも１つのＭＢＭＳと、前記端末が関心のあるＭＢＭＳの少なくとも１つのキャリアの両方、或いは、いずれかを、前記基地局（９０１）に表示する工程（Ｓ８０２）をさらに含むことを特徴とする請求項８に記載の方法。
【請求項１１】
前記端末（１００１）は、非サービングセルから前記少なくとも１つのＭＢＭＳを受信することを特徴とする請求項９又は１０に記載の方法。
【請求項１２】
前記端末（１００１）は、サービングセルから前記少なくとも１つのＭＢＭＳを受信することを特徴とする請求項９又は１０に記載の方法。
【請求項１３】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項９から１２のいずれか１項に記載の方法。
【請求項１４】
前記情報要素に従いサービングセルとして設定可能なキャリアでのＭＢＭＳ受信を前記端末（１００１）がサポートすることを、前記端末（１００１）が、前記基地局（９０１）に明示的に表示する工程（Ｓ８０３）をさらに含むことを特徴とする請求項９から１３のいずれか１項に記載の方法。
【請求項１５】
移動通信ネットワークの基地局（９０１）であって、
請求項１から８のいずれか１項に記載の方法を実行する様に構成されていることを特徴とする基地局。
【請求項１６】
移動通信ネットワークの端末（１００１）であって、
請求項９から１４のいずれか１項に記載の方法を実行する様に構成されていることを特徴とする端末。
【請求項１７】
端末（１００１）に対するマルチメディア・ブロードキャスト・マルチキャスト・サービス（ＭＢＭＳ）の継続性をサポートする、移動通信ネットワークの基地局（９０１）であって、
前記端末（１００１）がキャリアアグリゲーションをサポートする帯域の組み合わせについて前記基地局（９０１）に通知する情報要素を、前記端末（１００１）から受信する受信機（９０３）と、
前記受信した情報要素から前記端末（１００１）のＭＢＭＳ受信能力を導出し、前記端末が少なくとも１つのＭＢＭＳを受信可能となるように、前記端末（１００１）のサービングセルとして前記基地局（９０１）が設定可能な１つ以上のキャリアを決定するコントローラ（９０６）と、
を備えており、
前記端末（１００１）は、前記情報要素に従って前記端末（１００１）のサービングセルとして設定可能なキャリアでのＭＢＭＳの受信をサポートすることを特徴とする基地局。
【請求項１８】
前記基地局（９０１）は、前記端末（１００１）から、前記端末（１００１）が関心のある少なくとも１つのＭＢＭＳと、前記端末（１００１）が関心のあるＭＢＭＳの少なくとも１つのキャリアの両方、或いは、いずれかの表示を取得する様に構成されていることを特徴とする請求項１７に記載の基地局。
【請求項１９】
前記コントローラ（９０６）は、前記端末が関心のある前記少なくとも１つのＭＢＭＳを前記端末（１００１）が受信できる様に、前記決定したキャリア及び前記受信した表示に基づき前記端末のサービングセルとして少なくとも１つのキャリアを設定する様に構成されていることを特徴とする請求項１８に記載の基地局。
【請求項２０】
前記コントローラ（９０６）は、前記端末（１００１）が非サービングセルから前記少なくとも１つのＭＢＭＳを受信できる様に、前記端末（１００１）のサービングセルとして前記少なくとも１つのキャリアを設定する様に構成されていることを特徴とする請求項１７から１９のいずれか１項に記載の基地局。
【請求項２１】
前記コントローラ（９０６）は、前記端末（１００１）がサービングセルから前記少なくとも１つのＭＢＭＳを受信できる様に、前記端末（１００１）のサービングセルとして前記少なくとも１つのキャリアを設定する様に構成されていることを特徴とする請求項１７から１９のいずれか１項に記載の基地局。
【請求項２２】
前記基地局（９０１）は、発展型ノードＢであることを特徴とする請求項１７から２１のいずれか１項に記載の基地局。
【請求項２３】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項１７から２１のいずれか１項に記載の基地局。
【請求項２４】
前記基地局（９０１）は、前記端末（１００１）が前記情報要素に従いサービングセルとして設定可能なキャリアでのＭＢＭＳ受信をサポートすることの明示的な表示を前記端末（１００１）から取得する様に構成されていることを特徴とする請求項１７から２１のいずれか１項に記載の基地局。
【請求項２５】
移動通信ネットワークの端末（１００１）に対するマルチメディア・ブロードキャスト・マルチキャスト・サービス（ＭＢＭＳ）の継続性をサポートする前記端末（１００１）であって、
前記端末がキャリアアグリゲーションをサポートする帯域の組み合わせについて基地局（９０１）に通知する情報要素を、前記基地局（９０１）に送信する送信機（１００）を備えており、
前記端末（１００１）は、前記情報要素に従って前記端末（１００１）のサービングセルとして設定可能なキャリアでのＭＢＭＳ受信をサポートすることを特徴とする端末。
【請求項２６】
前記端末（１００１）は、前記端末（１００１）が関心のある少なくとも１つのＭＢＭＳと、前記端末（１００１）が関心のあるＭＢＭＳの少なくとも１つのキャリアの両方、或いは、いずれかを、前記基地局（９０１）に表示する様に構成されていることを特徴とする請求項２５に記載の端末。
【請求項２７】
前記端末（１００１）は、非サービングセルから前記少なくとも１つのＭＢＭＳを受信する受信機（１００４）を備えていることを特徴とする請求項２５又は２６に記載の端末。
【請求項２８】
前記端末（１００１）は、サービングセルから前記少なくとも１つのＭＢＭＳを受信する受信機（１００４）を備えていることを特徴とする請求項２５又は２６に記載の端末。
【請求項２９】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項２５から２８のいずれか１項に記載の端末。
【請求項３０】
前記端末（１００１）は、前記情報要素に従いサービングセルとして設定可能なキャリアでのＭＢＭＳ受信を前記端末（１００１）がサポートすることを、前記基地局（９０１）に明示的に表示する様に構成されていることを特徴とする請求項２５から２９のいずれか１項に記載の端末。
【国際調査報告】
2014528192.tif 000013
2014528192.tif 000014
2014528192.tif 000015